(57)【要約】      （修正有）【課題】ゴルフクラブのヘッドとシャフトにおけるシャフト交換に応用するゴルフクラブのシャフト交換ジョイント構造を提供する。【解決手段】ヘッド３２には結合部が形成又は接合され、かつ結合部５６内には雌ねじ山５８が形成されている。ねじ穴位置決め部と、シャフトスリーブと、スクリューとを含む。ねじ穴位置決め部３６はフランジ４２と、ねじ穴位置決め部の外表面に設けられた雄ねじ山４４とを有し、フランジは当接面と、当接面の中にある位置決め穴とを有し、雄ねじ山は結合部の雌ねじ山に螺合する。シャフトスリーブ３８を結合部に入れ、その一端はシャフト接続して固定し、他端はねじ穴が設けてある。スクリューはねじの頭部を有し、位置決め穴を介して位置決めされ、シャフトスリーブのねじ穴と螺合し、かつねじの頭が当接面を支えることによって、シャフトスリーブのシャフトを螺着して接続する。【選択図】図３
0003143144.tif 000002
【実用新案登録請求の範囲】
【請求項１】
ゴルフクラブのヘッドに形成又は接合された結合部内に雌ねじ山が形成されてある、ゴルフクラブのシャフト交換ジョイント構造において、
ねじ穴位置決め部と、シャフトスリーブと、スクリューと、を含み、
前記ねじ穴位置決め部は、フランジと、外表面に設けられた雄ねじ山とを有し、前記フランジは当接面と前記当接面の中にある位置決め穴とを有し、前記雄ねじ山を前記結合部の前記雌ねじ山に螺合し、
前記シャフトスリーブは、前記結合部に嵌入し、その一端が前記シャフトに接続して固定され、他端にはねじ穴が設けてあり、
前記スクリューは、ねじの頭部を有し、前記位置決め穴を介して位置決めされ、前記シャフトスリーブの前記ねじ穴と螺合し、かつ前記ねじの頭部が前記当接面を支えることによって、前記シャフトスリーブの前記シャフトに螺着して接続することを特徴とする、
ゴルフクラブのシャフト交換ジョイント構造。
【請求項２】
前記フランジを前記ねじ穴位置決め部の内部に設けてあることを特徴とする、請求項１に記載のゴルフクラブのシャフト交換ジョイント構造。
【請求項３】
前記フランジを前記ねじ穴位置決め部の一端に設け、かつ前記当接面は前記ねじ穴位置決め部の一表面である、請求項１に記載のゴルフクラブのシャフト交換ジョイント構造。
【請求項４】
前記ねじ穴位置決め部内部と前記シャフトスリーブの接続箇所をテーパ溝とし、かつ前記フランジに近い側の内径は前記フランジから離れた側の内径よりも小さいことを特徴とする、請求項１に記載のゴルフクラブのシャフト交換ジョイント構造。
【請求項５】
前記シャフトスリーブの前記ねじ穴を有する一端は、前記ねじ穴位置決め部内部の前記テーパ溝に対応してテーパ状をなし、前記スクリューが前記ねじ穴に螺合することによって、前記シャフトスリーブの一端を前記ねじ穴位置決め部の前記テーパ溝内に螺着することを特徴とする、請求項４に記載のゴルフクラブのシャフト交換ジョイント構造。
【請求項６】
前記シャフトスリーブは前記シャフトに対応して収容スペースを有し、前記シャフトを前記収容スペースに入れ、かつ前記シャフトスリーブに接着してあることを特徴とする、請求項１に記載のゴルフクラブのシャフト交換ジョイント構造。
【請求項７】
前記シャフトスリーブは前記シャフトに対応して収容スペースを有し、前記シャフトを前記収容スペースに入れ、かつ前記シャフトスリーブに溶着してあることを特徴とする、請求項１に記載のゴルフクラブのシャフト交換ジョイント構造。
【請求項８】
前記シャフトスリーブを前記ヘッドの前記結合部内側と緊密に結合してあることを特徴とする、請求項１に記載のゴルフクラブのシャフト交換ジョイント構造。
【請求項９】
前記スクリューと前記当接面との間に設けられたワッシャをさらに含むことを特徴とする、請求項１に記載のゴルフクラブのシャフト交換ジョイント構造。
【考案の詳細な説明】
【技術分野】
【０００１】
ゴルフクラブのシャフト交換ジョイント構造に関し、特に、ゴルフクラブのヘッドとシャフトにおけるシャフト交換に応用するシャフト交換ジョイント構造に関する。
【背景技術】
【０００２】
ゴルフが盛んになることに伴い、ゴルフクラブの構造や材料は日々進歩している。
ゴルフクラブの開発製造者は、ゴルフクラブをすべての使用者のニーズに合わせることができて、かつ使用者が様々な打撃状況に基づいて適切なヘッドとシャフトの組み合わせを選択できるように、迅速なシャフト交換機能を有するゴルフクラブを積極的に開発している。
【０００３】
図１に、特許文献１で開示されている公知のゴルフクラブのシャフト交換ジョイント構造の概要図を示す。
迅速なシャフト交換機能を有するゴルフクラブ１０は、ヘッド１２とシャフト１４とを備える。
ヘッド１２及びシャフト１４は、シャフト交換ジョイント構造１６を介して迅速なシャフト交換を行うことができる。
従来のシャフト交換ジョイント構造１６は、シャフトスリーブ１８と、ソケット２０と、スクリュー２２とを含む。
シャフトスリーブ１８のその一端に開口部２４を有し、この開口部２４にシャフト１４を入れて接着により結合してシャフトスリーブ１８と固定する。
ソケット２０はヘッド１２に嵌合して、ヘッド１２の中に接着により固定する。
そして、シャフトスリーブ１８をソケット２０に貫入した後、ボルト等のスクリュー２２で以ってシャフトスリーブ１８をソケット２０に螺着することで、ヘッド１２に対してシャフト１４を迅速に交換できるようになっている。
【特許文献１】米国特許第７０８３５２９号明細書
【考案の開示】
【考案が解決しようとする課題】
【０００４】
しかし、ヘッド１２が衝撃などの外部からの影響を受け、ソケット２０内部に変形が発生したためにシャフトスリーブ１８がソケット２０に順調に入らない状況が発生した場合、公知のゴルフクラブ１０のシャフト交換ジョイント構造１６は、ソケット２０をヘッド１２に嵌合して接着する方式によって固定するため、ソケット２０の修理又は交換を行うことが非常に難しいという問題点を有する。
【課題を解決するための手段】
【０００５】
これに鑑み、前記の課題を解決するため、本考案は、外表面に雄ねじ山を有するねじ穴位置決め部を利用してヘッドの結合部内の雌ねじ山に螺合することによって、ヘッドが衝撃を受けてねじ穴の位置決め部が破損したときに、ねじ穴位置決め部を取り外し、修理又は交換を行うことができるゴルフクラブのシャフト交換ジョイント構造を提供する。
【０００６】
前記目的を達成するために、本考案は、ゴルフクラブのヘッドとシャフトにおけるシャフト交換に応用するゴルフクラブのシャフト交換ジョイント構造を提供する。ヘッドには結合部が形成又は接合され、結合部内には雌ねじ山が形成されている。本考案のゴルフクラブのシャフト交換ジョイント構造は、ねじ穴位置決め部と、シャフトスリーブと、スクリューとを含む。ねじ穴位置決め部は、フランジと、ねじ穴位置決め部の外表面に設けられた雄ねじ山とを有し、フランジは、当接面と、当接面の中にある位置決め穴とを有し、雄ねじ山は結合部の雌ねじ山に螺合する。シャフトスリーブは結合部に入れ、その一端はシャフトに接続して固定し、他端はねじ穴が設けてある。スクリューはねじの頭部を有し、スクリューは位置決め穴を介して位置決めされ、シャフトスリーブのねじ穴と螺合し、かつねじの頭部が当接面を支えることによって、シャフトスリーブのシャフトに螺着して接続する。
【考案の効果】
【０００７】
本考案のゴルフクラブのシャフト交換ジョイント構造は、外表面に雄ねじ山を有するねじ穴位置決め部の螺合を利用してヘッドの結合部内の雌ねじ山を形成又は接合する。ヘッドが衝撃などの外部からの影響を受け、ねじ穴位置決め部が破損したためにシャフトスリーブがねじ穴位置決め部に順調に入らない状況が発生した場合、ねじ穴位置決め部を取り外し、修理又は交換を行うことができる。
【考案を実施するための最良の形態】
【０００８】
本考案の目的、構造及びその機能をさらに理解できるようにするため、関連実施例及び図面の詳細な説明により、次のとおり説明する。
【実施例】
【０００９】
図２は、本考案の好適な実施例のゴルフクラブのシャフト交換ジョイント構造の分解立体図である。本考案は、ゴルフクラブのヘッド３２とシャフト３４におけるシャフト交換に応用するゴルフクラブのシャフト交換ジョイント構造３０を提供する。ヘッド３２には結合部（図示せず）が形成又は接合され、かつ結合部内には雌ねじ山（図示せず）が形成されている。
【００１０】
本考案のゴルフクラブのシャフト交換ジョイント構造３０は、ねじ穴位置決め部３６と、シャフトスリーブ３８と、スクリュー４０とを含む。鉄、ステンレス鋼、純チタン、チタン合金、アルミニウム又はアルミニウム合金などの材質製とすることができるねじ穴位置決め部３６は、フランジ４２と、ねじ穴位置決め部３６の外表面に設けられた雄ねじ山４４を有する。本好適な実施例のフランジ４２は、ねじ穴位置決め部３６の内部に設けられ、かつ当接面４６と、当接面４６の中にある位置決め穴４８とを有し、雄ねじ山４４は結合部の雌ねじ山に対応する。注意すべきことは、他の好適な実施例において、フランジをねじ穴位置決め部の一端に設け、かつ当接面をねじ穴位置決め部の一表面とすることも可能なことである。
【００１１】
シャフトスリーブ３８の一端は、シャフト３４に接続して固定することができ、他端はねじ穴５０が設けてある。シャフトスリーブ３８のねじ穴５０を有する一端は、テーパ５２状をなす。また、シャフトスリーブ３８は、鉄、ステンレス鋼、純チタン、チタン合金、アルミニウム又はアルミニウム合金などの材質製とすることができる。
【００１２】
スクリュー４０は、鉄、ステンレス鋼、純チタン、チタン合金、アルミニウム又はアルミニウム合金などの材質製とすることができ、ねじの頭部５４を有し、かつスクリュー４０はシャフトスリーブ３８のねじ穴５０に対応する。
【００１３】
図３は、本考案の好適な実施例のゴルフクラブのシャフト交換ジョイント構造を応用してヘッドのシャフトを結合した断面図である。ねじ穴位置決め部３６外表面の雄ねじ山４４は、結合部５６の雌ねじ山５８に螺合する。ねじ穴位置決め部３６内部とシャフトスリーブ３８の接続箇所は、テーパ溝６０であり、フランジ４２に近い側の内径はフランジ４２から離れた側の内径よりも小さく、かつテーパ溝６０はシャフトスリーブ３８のテーパ５２状の一端に対応する。
【００１４】
次に、シャフトスリーブ３８を結合部５６に入れ、かつテーパ５２状の一端をねじ穴位置決め部３６のテーパ溝６０に入れる。また、シャフトスリーブ３８は、シャフト３４に対応して収容スペース６２を有し、シャフト３４を収容スペース６２に入れ、かつ接着又は溶接によりシャフトスリーブ３８に固定する。注意すべきことは、シャフトスリーブ３８をヘッド３２の結合部５６内側に緊密に結合することによって、シャフト３４とヘッド３２との間の回転防止力を増加することである。
【００１５】
スクリュー４０は、位置決め穴４８を介して位置決めされ、シャフトスリーブ３８のねじ穴５０と螺合することによって、シャフトスリーブ３８の一端をねじ穴位置決め部３６のテーパ溝６０内に螺着する。またねじの頭部５４で当接面４６を支えることによって、シャフトスリーブ３８のシャフト３４に螺着して接続する。また、本考案は、スクリュー４０と当接面４６との間に設けられたワッシャ（図示せず）をさらに含むことによって、スクリュー４０とシャフトスリーブ３８との間の螺着力を増加することができる。
【００１６】
本考案のゴルフクラブのシャフト交換ジョイント構造は、外表面に雄ねじ山を有するねじ穴位置決め部の螺合を利用してヘッドの結合部内の雌ねじ山を形成又は接合する。ヘッドが衝撃などの外部からの影響を受け、ねじ穴位置決め部が破損したためにシャフトスリーブがねじ穴位置決め部に順調に入らない状況が発生した場合、ねじ穴位置決め部を取り外し、修理又は交換を行うことができる。また、ヘッドに変形が発生し、ねじ穴位置決め部と結合部との組み合わせに問題がある場合、簡単な総形バイト又はタップにより加工し、ヘッド内の結合部を本考案の設計に必要な構造に成形するだけでよい。
【００１７】
本考案は、好適な実施例を開示したが、本考案を限定するために用いるものではなく、当業者は本考案の主旨を逸脱しない範囲内において、各種の変更と修飾を行うことができる。
【図面の簡単な説明】
【００１８】
【図１】公知のゴルフクラブのシャフト交換ジョイント構造の概要図である。
【図２】本考案の好適な実施例のゴルフクラブのシャフト交換ジョイント構造の分解立体図である。
【図３】本考案の好適な実施例のゴルフクラブのシャフト交換ジョイント構造を応用しヘッドとシャフトを結合した断面図である。
【符号の説明】
【００１９】
１０    ゴルフクラブ
１２    ヘッド
１４    シャフト
１６    シャフト交換ジョイント構造
１８    シャフトスリーブ
２０    ソケット
２２    スクリュー
２４    開口部
３０    シャフト交換ジョイント構造
３２    ヘッド
３４    シャフト
３６    ねじ穴位置決め部
３８    シャフトスリーブ
４０    スクリュー
４２    フランジ
４４    雄ねじ山
４６    当接面
４８    位置決め穴
５０    ねじ穴
５２    テーパ
５４    ねじの頭部
５６    結合部
５８    雌ねじ山
６０    テーパ溝
６２    収容スペース
【図１】
0003143144.tif 000003
【図２】
0003143144.tif 000004
【図３】
0003143144.tif 000005